(57)【要約】      （修正有）【課題】自動販売機等の重量の比較的大きい設置物の据付に好適で、設置面の傾斜向きに関わらず設置物を水平な状態で据付することができる設置物据付器具を提供する。【解決手段】設置物１を設置面２に据付するための据付器具であり、偏心位置に少なくとも１つの調整穴を有する半球状の傾斜補正部３と、傾斜補正部を支え且つ設置面に固定するためのアンカー通し穴１２が形成された底部の底板１１と、設置物の脚２０を固定するための脚固定部材１８を取り付け可能な天板部１５とからなり、傾斜補正部３を調整穴５により底部に対し相対的な傾き角となるように固定し、固定された傾斜補正部３に天板部１５をさらに固定する構造を設えて設置物据付器具を構成する。【選択図】図１
0003161315.tif 000002
【実用新案登録請求の範囲】
【請求項１】
設置物を設置面に据付するための据付器具であり、偏心位置に少なくとも１つの調整穴を有する半球状の傾斜補正部と、傾斜補正部を支え且つ設置面に固定するためのアンカー通し穴が形成された底部と、設置物の脚を固定するための脚固定部材を取り付け可能な天板部とからなり、傾斜補正部を調整穴により底部に対し相対的な傾き角となるように固定し、固定された傾斜補正部に天板部をさらに固定する構造を有することを特徴とする設置物据付器具。
【考案の詳細な説明】
【技術分野】
【０００１】  本考案は、設置物据付器具に関し、詳しくは、自動販売機等の重量の比較的大きい設置物を設置面に安定に据付することができ、設置面の傾斜向きに関わらず設置物を水平な状態で据付することができる設置物据付器具に関する。
【背景技術】
【０００２】  自動販売機等の重量の比較的大きい設置物は、転倒や盗難を防止するために、その設置物の脚を固定部材で目的の設置面に据付している。このような設置物は重量が大きいため水平な状態で据付することが必要であり、このため、傾斜地では高さ調整のために据付用の台座を作る場合がある。しかし、据付用の台座を作るためにはコンクリート工事を必要とするため工期がかかり、また、設置物の移動や撤去の場合には、あらためて解体のためのコストと工期がかかる。また、コンクリートブロック等の挾み材を使用して高さ調整する場合もあるが、設置物を水平にするのが難しく、据付が不安定になる場合もある。また、挾み材をモルタルやコンクリート用接着材等で固定する場合にも工期がかかる。【０００３】  このような問題点に対し、設置物を傾斜地で据付するための据付器具の提案がある。特許文献１では、設置面に固定するための底板と設置物の脚固定部材を取り付ける手段が設けられた天板とがその厚み方向で互いに開閉自在となるように下ハーフと上ハーフとを回動自在に連結したヒンジ軸を有し、底板と天板との相対的な傾き角を選択的に設定するための傾き角調節手段を備えた設置物据付台の提案がある。また、特許文献２では、傾斜面の傾斜に合わせて、上部の調節穴と下部の蝶番（ヒンジ）の取り付け穴とを所定の傾斜に調整して固定する自動販売機の傾斜面設置固定材の提案がある。【０００４】  しかしながら、これらの先行文献の提案は、据付器具を用いて一方向側の傾斜角の調整をすることはできるが、全周囲方向への角度調整は困難であるため、底部を一旦アンカーボルトで固定してしまうと、角度調整方向が限られてしまい、設置物の水平位置への据付に制約を生じている。また、据付器具の底部を傾斜方向に合わせて向きを変えて据付した場合、据付器具が設置物の周囲にはみ出し、美感が損なわれる場合がある。
【先行技術文献】
【特許文献】
【０００５】
【特許文献１】特開２００３−３４６２３３号公報
【特許文献２】特開２００５−６２９８０号公報
【考案の概要】
【考案が解決しようとする課題】
【０００６】  本考案は上記従来の問題点に着目してなされたものであり、自動販売機等の重量の比較的大きい設置物の据付に好適で、設置面の傾斜向きに関わらず設置物を水平な状態で据付することができる設置物据付器具を提供することを目的とする。
【課題を解決するための手段】
【０００７】  上記の課題を解決すべく、本考案は以下の構成を提供する。請求項１の考案は、設置物を設置面に据付するための据付器具であり、偏心位置に少なくとも１つの調整穴を有する半球状の傾斜補正部と、傾斜補正部を支え且つ設置面に固定するためのアンカー通し穴が形成された底部と、設置物の脚を固定するための脚固定部材を取り付け可能な天板部とからなり、傾斜補正部を調整穴により底部に対し相対的な傾き角となるように固定し、固定された傾斜補正部に天板部をさらに固定する構造を有することを特徴とする設置物据付器具である。
【考案の効果】
【０００８】  以上のように本考案によれば、自動販売機等の重量の比較的大きい設置物の据付に好適で、設置面の傾斜向きに関わらず設置物を水平な状態で据付することができる。据付器具の底部を一旦固定した後も角度調整を全周囲方向に自由にすることができ、据付器具が設置物の周囲にはみ出さないため美感を保つこともでき、設置物の据付器具として極めて有効である。
【図面の簡単な説明】
【０００９】
【図１】本考案の第１の実施の形態にかかる設置物据付器具の側面図（透視図）である。
【図２】本考案の第１の実施の形態にかかる設置物据付器具の傾斜補正部の説明図である。
【図３】本考案の第１の実施の形態にかかる設置物据付器具の傾斜補正部の説明図である。
【図４】本考案の第１の実施の形態にかかる設置物据付器具の傾斜補正部及び底部の斜視図である。
【図５】本考案の第１の実施の形態にかかる設置物据付器具の斜視図である。
【図６】本考案の第１の実施の形態にかかる設置物据付器具の斜視図である。
【考案を実施するための形態】
【００１０】  以下、本考案の第１の実施の形態にかかる設置物据付器具を図１から図６の図面に従って説明する。図１において符号１は自動販売機、空調装置等の設置物、符号２は設置面を表しており、本考案では、設置面が傾斜している状態において好適に使用することができる。
【００１１】  本考案の設置物据付器具は、金属で構成されており、偏心位置に少なくとも１つの調整穴（符号５）を有する半球状の傾斜補正部（符号３）と、傾斜補正部を支える筒状の支え（符号６）を有し且つ設置面に固定するためのアンカー通し穴（符号１２）が底板（符号１１）に形成された底部と、設置物の脚（符号２０）を固定するための脚固定部材（符号１８）を取り付け可能な天板部（符号１５）とからなり、傾斜補正部（符号３）を調整穴（符号５）により底部に対し相対的な傾き角となるように固定し、固定された傾斜補正部（符号３）に天板部（符号１５）をさらに固定する構造を有している。次に、各部の固定方法と詳細について説明する。
【００１２】  （設置面への底部の固定）
底板（符号１１）のアンカー通し穴（符号１２）にアンカー（符号１３）を通し、設置面（符号２）にアンカー（符号１３）を打ち込むことにより固定を行う。ここで、アンカー（符号１３）には、ワッシャー等を用いて良い。
【００１３】  （傾斜補正部と底部との固定）
傾斜補正部（符号３）は調整穴（符号５）により底部に対し相対的な傾き角となるように軸ネジ（符号８）で固定する。ここで、底部の支え（符号６）の中央には軸ネジ止め用ボルト（符号９）が溶接等によりに付してあり、軸ネジ（符号８）を固定する。さらに、軸ネジ（符号８）と傾斜補正部（符号３）とを軸ネジ止め用ボルト（符号１０）にて固定する。ここで軸ネジ止め用ボルト（符号１０）には、ワッシャー等を用いて良い。
【００１４】  （傾斜補正部と天板部との固定）
傾斜補正部（符号３）に溶接等により付した天板部固定用の枠（符号１４）と天板部（符号１５）とをネジ（符号１７）を用いて固定を行う。また、軸ネジ（符号８）を軸ネジ止め用ボルト（符号１９）でネジ止めすることにより、天板部（符号１５）と固定する。ここで、脚固定部材（符号１８）も天板部（符号１５）とともに軸ネジ止め用ボルト（符号１９）で固定をする。軸ネジ止め用ボルト（符号１９）には、ワッシャー等を用いて良い。
【００１５】  （設置物の天板部への固定）
設置物（符号１）の脚（符号２０）の底部（符号２１）を、天板部（符号１５）上に固定した脚固定部材（符号１８）に嵌め込み、ネジ止め用ボルト（符号２２）にて固定をする。
【００１６】  （傾斜補正部の詳細）
次に、本考案の設置物据付器具の傾斜補正部（符号３）についてさらに詳細に説明を行う。傾斜補正部（符号３）は、図２に示すように、半球の中心位置である子午線（符号２４）と赤道線（符号２５）との交点に対して偏心位置に少なくとも１つの調整穴（符号５）を有している。ここで、調整穴（符号５）の形状は長円、楕円、多角形、不定形等でも良く、特に限定されない。また、図３に示すように、複数の調整穴（符号５）がそれぞれ偏心位置にあっても良い。また、傾斜補正部（符号３）には、図２、図３に示すように、天板部固定用の枠（符号１４）が溶接等により付されており、この枠には、天板部（符号１５）固定用のネジ穴（符号２３）が周囲に設けられている。なお、天板部（符号１５）固定用のネジ穴（符号２３）の数、位置、形状等は任意に設定して良い。
【００１７】  傾斜補正部（符号３）は図４に示すように、筒状の支え（符号６）により支えられ、調整穴（符号５）に軸ネジ（符号８）を通し、軸ネジ止め用ボルト（符号１０）にて固定される。ここで、調整穴（符号５）が偏心位置にあるため、傾斜補正部（符号３）を軸ネジ（符号８）まわりに回転することで、底板（符号１１）に対し、天板部固定用の枠（符号１４）が所望の相対的な傾き角となるように調整することができる。
【００１８】  （天板部の詳細）
次に、本考案の設置物据付器具の（符号１５）についてさらに詳細に説明を行う。天板部（符号１５）は、図５に示すように天板部固定用の枠（符号１４）の上にかぶせて使用し、天板部固定用の枠（符号１４）と天板部（符号１５）とをネジ（符号１７）を用いて固定する。また、軸ネジ通し穴（符号２７）に軸ネジ（符号８）を通す。天板部（符号１５）の形状や、ネジ（符号１７）の数、位置、形状、軸ネジ通し穴（符号２７）の形状、位置等は特に限定されない。また、天板部固定用の枠（符号１４）と天板部（符号１５）との相対的な位置は、任意に設定することができる。以上の結果、底板（符号１１）に対し、天板部（符号１５）が所望の相対的な傾き角となるように調整することができる。
【００１９】  さらに、図６に示すように、脚固定部材（符号１８）を天板部（符号１５）とともに軸ネジ（符号８）に通し、軸ネジ止め用ボルト（符号１９）を用いて固定をする。その結果、固定された脚固定部材（符号１８）を用いて、設置物（符号１）の脚（符号２０）の固定が可能となる。
【００２０】  上記のように本考案の設置物据付器具は、自動販売機等の重量の比較的大きい設置物の据付に好適で、設置面の傾斜向きに関わらず設置物を水平な状態で据付することができる。傾斜補正部（符号３）を軸ネジ（符号８）まわりに回転することで、底部を一旦アンカーボルトで固定した後も角度調整を全周囲方向に自由にすることができる。また、天板部固定用の枠（符号１４）と天板部（符号１５）との相対的な位置を調整することで、据付器具が周囲にはみ出さなくなるため、美感を保つこともできる。なお、本考案では、設置面が傾斜している状態において好適に使用することができるが、設置面が水平な状態においても、傾斜補正部（符号３）の調整穴（符号５）と軸ネジ（符号８）との位置関係を調整することで、水平状態を保ったまま使用することもできる。
【００２１】  以上、本考案の実施の形態について詳述してきたが、具体的な構成はこの実施の形態に限られたものではない。本考案の設置物据付器具の形状、大きさ等は、本考案の要旨を逸脱しない範囲において、使用する設置物の形状、大きさ等に応じて自由に選択することができ、この範囲において設計の変更等があっても本考案に含まれる。
【符号の説明】
【００２２】  １  設置物
２  設置面
３  半球状の傾斜補正部
４  半球状の傾斜補正部の断面
５  半球状の傾斜補正部の調整穴
６  傾斜補正部の支え
７  傾斜補正部の支えの断面
８  軸ネジ
９  底部に付した軸ネジ止め用ボルト
１０  傾斜補正部を底部に固定するための軸ネジ止め用ボルト
１１  底部の底板
１２  アンカー通し穴
１３  アンカー
１４  傾斜補正部に付した天板部固定用の枠
１５  天板部
１６  天板部の断面
１７  傾斜補正部に付した天板部固定用の枠と天板部とを固定するネジ
１８  脚固定部材
１９  天板部と脚固定部材とを固定する軸ネジ止め用ボルト
２０  設置物の脚
２１  設置物の脚の底部
２２  設置物の脚のネジ止め用ボルト
２３  傾斜補正部に付した天板部固定用の枠のネジ穴
２４  子午線
２５  赤道線
２６  軸ネジの中心線
２７  軸ネジ通し穴
【図１】
0003161315.tif 000003
【図２】
0003161315.tif 000004
【図３】
0003161315.tif 000005
【図４】
0003161315.tif 000006
【図５】
0003161315.tif 000007
【図６】
0003161315.tif 000008